(57)【要約】    圧縮方式を自動に設定する撮影装置及び方法が提供される。【課題】    互いに違う複数のカメラ及び互いに違う複数の記録媒体を備える撮影装置で映像を撮像して保存することにおいて、使用者が選択したカメラと記録媒体の種類によって映像データの圧縮方式を自動に設定する撮影装置及びその方法を提供する。【解決手段】  ＤＶＣ部と、デジタル動画データを出力するＤＶＣ信号処理ブロックと、デジタル動画データを所定の第１及び第２フォーマットのデータで各々圧縮する第１及び第２圧縮部と、第１及び第２フォーマットのデータを各々保存する第１及び第２記録媒体と、第１及び第２記録媒体の中でいずれか一つを選択するための記録媒体選択スイッチ部と、デジタル動画データが第１及び第２圧縮部の中でいずれか一つに送信されるように制御する制御部とを含む。【選択図】  図２
2004364259.tif 000002
【特許請求の範囲】
【請求項１】
カメラレンズを通じて撮影した動画を電気的な信号に光電変換させるＤＶＣ（デジタルビデオカメラ）部と、
前記電気的な信号をデジタル動画に変換させるＤＶＣ信号処理ブロックと、
前記デジタル動画データを所定の第１のフォーマットのデータで圧縮する第１の圧縮部と、
前記デジタル動画データを所定の第２のフォーマットのデータで圧縮する第２の圧縮部と、
前記第１のフォーマットのデータを保存する第１の記録媒体と、
前記第２のフォーマットのデータを保存する第２の記録媒体と、
前記第１及び第２の記録媒体のうちいずれか一つを選択するための記録モード信号を出力する記録媒体選択スイッチ部と、
前記記録モード信号に基づいて、前記デジタル動画データが前記第１及び第２の圧縮部のうちいずれか一つに送信されるように制御する制御部と、
を含むことを特徴とする撮影装置。
【請求項２】
前記第１フォーマットは、ＭＰＥＧフォーマットであることを特徴とする請求項１に記載の撮影装置。
【請求項３】
前記第２フォーマットは、ＤＶフォーマットであることを特徴とする請求項１に記載の撮影装置。
【請求項４】
音声信号を電気的な信号に変換させるマイクと、
前記マイクから受信した信号を所定の第３のフォーマットのデータで圧縮して前記第１の記録媒体に保存する第３の圧縮部と、
前記マイクから受信した信号を所定の第４のフォーマットのデータで圧縮して前記第２の記録媒体に保存する第４の圧縮部と、
をさらに含むことを特徴とする請求項１に記載の撮影装置。
【請求項５】
前記第３のフォーマットは、Ｇ．７２６フォーマットであることを特徴とする請求項４に記載の撮影装置。
【請求項６】
前記第４のフォーマットは、ＰＣＭフォーマットであることを特徴とする請求項４に記載の撮影装置。
【請求項７】
前記記録媒体選択スイッチ部は、表示部と、
前記第１及び第２の記録媒体のうちいずれか一つを設定するためのメニュー画面を前記表示部に表示する表示文字発生部と、
前記メニュー画面を参照して前記第１及び第２の記録媒体のうちいずれか一つを選択するためのキー入力部と、
を含むことを特徴とする請求項１に記載の撮影装置。
【請求項８】
前記第１の記録媒体は、内蔵形メモリー及び脱着式ＩＣメモリーカードのうちいずれか一つであることを特徴とする請求項１に記載の撮影装置。
【請求項９】
前記第２の記録媒体は、磁気テープであることを特徴とする請求項１に記載の撮影装置。
【請求項１０】
カメラレンズを通じて撮影した静止画を電気的な信号に光電変換させるＤＳＣ（デジタルスチルカメラ）部と、
前記電気的な信号をデジタル静止画テータに変換させるＤＳＣ信号処理ブロックと、
前記デジタル静止画テータを所定の第５のフォーマットのデータで圧縮して前記第１の記録媒体に保存する第５の圧縮部と、
をさらに含むことを特徴とする請求項１に記載の撮影装置。
【請求項１１】
前記第５のフォーマットは、ＪＰＥＧフォーマットであることを特徴とする請求項１０に記載の撮影装置。
【請求項１２】
前記ＤＶＣ部及びＤＳＣ部を備え、本体に対して回転自在に設けられる複合カメラ部と、
前記複合カメラ部の回転角度に応じて、前記ＤＶＣ部及びＤＳＣ部のうちいずれの一つを選択して対応する動作モード信号を出力するモード選択スィッチ部と、
をさらに含み、
前記制御部は、前記動作モード信号に基づいて前記ＤＶＣ部及びＤＳＣ部の中でいずれか一つを駆動させることを特徴とする請求項１０に記載の撮影装置。
【請求項１３】
前記モード選択スィッチ部は、前記複合カメラ部の回転角度が第１の範囲である場合には、前記ＤＳＣ部を作動させるためのＤＳＣ動作モード信号を前記制御部に出力し、前記回転角度が第２の範囲である場合には、前記ＤＶＣ部を作動させるためのＤＶＣ動作モード信号を前記制御部に出力することを特徴とする請求項１２に記載の撮影装置。
【請求項１４】
前記モード選択スィッチ部は、前記回転角度が第３及び第４の範囲である場合は前記動作モード信号を出力しないことを特徴とする請求項１３に記載の撮影装置。
【請求項１５】
（ａ）カメラレンズ部を通じて撮影した動画を電気的な信号に光電変換させた後、デジタル動画データに変換させる段階と、
（ｂ）第１の記録媒体及び第２の記録媒体のうちいずれか一つを選択する段階と、
（ｃ）前記（ｂ）段階において、前記第１の記録媒体が選択される場合、前記デジタル動画データを所定の第１のフォーマットのデータで圧縮して前記第１記録媒体に保存する段階と、
（ｄ）前記（ｂ）段階において、前記第２の記録媒体が選択される場合、前記デジタル動画データを所定の第２のフォーマットのデータで圧縮して前記第２の記録媒体に保存する段階と、
を含むことを特徴とする撮影方法。
【請求項１６】
前記第１のフォーマットは、ＭＰＥＧフォーマットであり、前記第２のフォーマットは、ＤＶフォーマットであることを特徴とする請求項１５に記載の撮影方法。
【請求項１７】
前記第１の記録媒体は、内蔵形メモリー及び脱着式ＩＣメモリーカードのうちいずれか一つであり、前記第２の記録媒体は、磁気テープであるあることを特徴とする請求項１５に記載の撮影方法。
【請求項１８】
前記（ｂ）段階は、（ｂ１）前記第１及び第２の記録媒体のうちいずれか一つを設定するためのメニュー画面を表示する段階と、
（ｂ２）前記メニュー画面を参照して前記第１及び第２の記録媒体のうちいずれか一つを選択する段階と、
を含むことを特徴とする請求項１５記載の撮影方法。
【請求項１９】
前記（ｂ）段階において、前記第１の記録媒体が選択される場合、外部から音声信号を受信して電気的な信号に変換させ、変換された前記電気的な信号を所定の第３のフォーマットのデータで圧縮して前記第１の記録媒体に保存する段階と、
をさらに含むことを特徴とする請求項１５に記載の撮影方法。
【請求項２０】
前記（ｂ）段階において、前記第２の記録媒体が選択される場合、外部から音声信号を受信して電気的な信号に変換させ、変換された前記電気的な信号を所定の第４フォーマットのデータで圧縮して前記第２の記録媒体に保存する段階と、
をさらに含むことを特徴とする請求項１９記載の撮影方法。
【請求項２１】
前記第３のフォーマットは、Ｇ．７２６フォーマットであり、前記第４のフォーマットは、ＰＣＭフォーマットであることを特徴とする請求項２０に記載の撮影方法。
【請求項２２】
本体及び前記本体に対して回転自在に設けられ、動画を含んだ映像を撮像する第１カメラ部と静止画を撮像する第２カメラ部とを含む複合カメラ部を有する複合撮影装置の撮影方法において、
（ａ）前記複合カメラ部の回転角度に応じて、前記第１及び第２のカメラ部のうちいずれか一つを選択する段階と、
（ｂ）前記（ａ）段階において、前記第１カメラ部が選択される場合、第１及び第２の記録媒体のうちいずれの一つを選択する段階と、
（ｃ）前記（ｂ）段階で、前記第１の記録媒体が選択される場合、前記第１のカメラ部から出力されたデータを所定の第１のフォーマットのデータで圧縮して前記第１の記録媒体に保存する段階と、
（ｄ）前記（ｂ）段階において、前記第２の記録媒体が選択される場合、前記第１のカメラ部から出力されたデータを所定の第２のフォーマットのデータで圧縮して前記第２の記録媒体に保存する段階と、
を含むことを特徴とする撮影方法。
【請求項２３】
前記（ａ）段階において、前記第２のカメラ部が選択される場合、前記第２のカメラ部から出力されたデータを所定の第３のフォーマットのデータで圧縮させ、前記第１の記録媒体に保存する段階をさらに含むことを特徴とする請求項２２に記載の撮影方法。
【請求項２４】
前記第１のフォーマットは、ＭＰＥＧフォーマットであり、前記第２のフォーマットは、ＤＶフォーマットであり、前記第３のフォーマットは、ＪＰＥＧフォーマットであることを特徴とする請求項２３に記載の撮影方法。
【請求項２５】
前記第１の記録媒体は、内蔵形メモリー及び脱着式ＩＣメモリーカードのうちいずれか一つであり、前記第２の記録媒体は、磁気テープであることを特徴とする請求項２２に記載の撮影方法。
【請求項２６】
前記（ｂ）段階において、前記第１の記録媒体が選択される場合、外部から音声信号を受信して電気的な信号に変換させ、変換された前記電気的な信号を所定の第４のフォーマットのデータで圧縮して前記第１の記録媒体に保存する段階をさらに含むことを特徴とする請求項２２に記載の撮影方法。
【請求項２７】
前記（ｂ）段階において、前記第２の記録媒体が選択される場合、外部から音声信号を受信して電気的な信号に変換させ、変換された前記電気的な信号を所定の第５のフォーマットのデータで圧縮して前記第２の記録媒体に保存する段階をさらに含むことを特徴とする請求項２６に記載の撮影方法。
【請求項２８】
前記第４のフォーマットは、Ｇ．７２６フォーマットであり、前記第５のフォーマットは、ＰＣＭフォーマットであることを特徴とする請求項２７に記載の撮影方法。
【発明の詳細な説明】
【技術分野】
【０００１】
本発明は、撮影装置及びその方法に関し、より詳しくは、相違の複数のカメラ及び相違の複数の記録媒体を備える撮影装置で映像を撮像して保存することにおいて、使用者が選択したカメラと記録媒体の種類によって映像データの圧縮方式を自動に設定する撮影装置及びその方法に関する。
【背景技術】
【０００２】
一般的に、デジタルスチルカメラ（ＤＳＣ）は、レンズを通じて入射される映像をデジタル信号に変換してハードディスク又はメモリーカードのような記録媒体に保存する。即ち、撮影された映像をフィルム等に記録せず前記記録媒体に保存してスキャナーなどを通じないで直接コンピュータにデジタルイメージを入力できる。
【０００３】
このようなＤＳＣはＰＣとの互換性が大きくて編集及び修正が簡便で、外部コンピュータと連結して撮影した映像が伝送できる。また、ＤＳＣは、一般のカメラのような構造を有しているので携帯が簡便である。即ち、ＤＳＣは、レンズ装置と、メモリー装置と、信号変調装置と、表示装置等、を具備する。
【０００４】
ところで、このようなＤＳＣは、映像を記録する記録媒体の容量などの理由で主に静止画を撮影することに使用される。即ち、一部の動画が撮影できる機能を有しているが、長時間の撮影が実質的に不可能である。特に、動画を撮影して再生する時、音響を共に記録して再生する装置がないので、実質的には動画を撮影して記憶及び再生するには不適切である。
【０００５】
このような点を補足するため、テープのような記録媒体に撮影される被写体の画像及び音響等を記録及び再生する記録／再生装置、例えば、カムコーダー、即ち、デジタルビデオカメラ（ＤＶＣ）が広く普及している。
【０００６】
前記ＤＶＣは、レンズ装置と、信号変換装置と、撮影された映像を記録／再生するデッキ装置と、表示装置などを備える。このようなＤＶＣは、主にカセットテープを記録媒体とし、そのカセットテープをデッキ装置に装着して撮影された動画を記録する。また、ＤＶＣは、マイク装置とスピーカー装置を具備しており、装着されたカセットテープに１時間以上の撮影が可能である。
【０００７】
このようなＤＶＣも静止画を撮影する機能を有しているが、上述したＤＳＣに比べて画質の劣化が生じるので、主に動画を撮影することに使用される。また、ＤＶＣはＤＳＣより多様な機能を有して複雑な構成を持っているので、サイズが相対的に大きく高価である場合が一般的である。
【０００８】
ところで、上述のように、ＤＳＣとＤＶＣの各々の機能を活用するためには二つの製品を全て購入する必要があった。したがって、消費者には経済的に負担があった。また、購入後も、各々の特徴的な機能があるので、二つの製品の全ての機能を必要とする場合には携帯が不便であるという問題点があった。
【０００９】
このような問題点を解決するために、ＤＳＣとＤＶＣを一つのケースに一体化したＤＳＣ一体形ＤＶＣが開発されており、これをデジタルカメラ／カムコーダー又はデュオカム（ＤＵＯＣＡＭ）と称する。
【００１０】
デュオカムは、映像データを保存する記録媒体として、メモリーカードと磁気テープを使用する。メモリーカードはサイズが小さく、ＰＣと直接に接続してデータを簡便に伝送することができるという長所があるが、保存用量が少ないという短所がある。また、磁気テープはそのメモリーカードの長短所を逆に持つ。
【００１１】
一方、従来のデュオカムは、記録媒体の保存空間を效率的に使うために映像データを圧縮して保存する。圧縮方式には多様な方式があるが、一般的に圧縮率が高ければデータの容量は少なくなるが画質が劣化するという短所があり、圧縮率が低ければ画質は良いがデータの容量が大きくなるという短所がある。
【００１２】
使用者は良い画質の映像を好むが、映像データを保存する記録媒体の保存容量も無視できない。したがって、映像の画質と記録媒体の保存容量を考慮して、映像データが保存される記録媒体によって圧縮方式を自動に設定する機能が必要であった。
【００１３】
デュオカムの各々のカメラは相違の種類の映像を撮影するが、映像の種類によって適切な圧縮方式には差がある。したがって、撮影した映像の種類によって適切な圧縮方式を自動に設定する必要が生じる
しかし、従来は、使用者は自分が選択したカメラ及び記録媒体によって別度に圧縮方式を設定しなければならないので使用が不便であった。
【発明の開示】
【発明が解決しようとする課題】
【００１４】
本発明は、上述したような従来技術の問題点を解決するためになされたもので、その目的は、相違の複数のカメラ及び相違の複数の記録媒体を備える撮影装置で映像を撮像して保存することにおいて、使用者が選択したカメラと記録媒体の種類によって映像データの圧縮方式を自動に設定する撮影装置及びその方法を提供することにある。
【課題を解決するための手段】
【００１５】
前記目的を達成するために、本発明による撮影装置は、カメラレンズを通じて撮影した動画を電気的な信号に光電変換させるＤＶＣ部と、前記電気的な信号をデジタル動画に変換させるＤＶＣ信号処理ブロックと、前記デジタル動画データを所定の第１のフォーマットのデータで圧縮する第１の圧縮部と、前記デジタル動画データを所定の第２のフォーマットのデータで圧縮する第２の圧縮部と、前記第１のフォーマットのデータを保存する第１の記録媒体と、前記第２のフォーマットのデータを保存する第２の記録媒体と、前記第１及び第２の記録媒体のうちいずれか一つを選択するための記録モード信号を出力する記録媒体選択スイッチ部と、前記記録モード信号に基づいて、前記デジタル動画データが前記第１及び第２の圧縮部のうちいずれか一つに送信されるように制御する制御部とを含むことを特徴とする。
【００１６】
好ましくは、前記第１のフォーマットは、ＭＰＥＧフォーマットであり、前記第２のフォーマットは、ＤＶフォーマットである。
【００１７】
また、撮影装置は、音声信号を電気的な信号に変換させるマイクと、前記マイクから受信した信号を所定の第３のフォーマットのデータで圧縮して前記第１の記録媒体に保存する第３の圧縮部と、前記マイクから受信した信号を所定の第４のフォーマットのデータで圧縮して前記第２の記録媒体に保存する第４の圧縮部とをさらに含む。
【００１８】
好ましくは、前記第３のフォーマットは、Ｇ．７２６フォーマットであり、前記第４のフォーマットは、ＰＣＭフォーマットである。
【００１９】
また、前記記録媒体選択スイッチ部は、表示部と、前記第１及び第２の記録媒体のうちいずれか一つを設定するためのメニュー画面を前記表示部に表示する表示文字発生部と、前記メニュー画面を参照して前記第１及び第２の記録媒体のうちいずれか一つを選択するためのキー入力部とを含む。
【００２０】
好ましくは、前記第１の記録媒体は、内蔵形メモリー及び脱着式ＩＣメモリーカードのうちいずれか一つであり、前記第２の記録媒体は磁気テープである。
【００２１】
好ましくは、撮影装置は、カメラレンズを通じて撮影した静止画を電気的な信号に光電変換させるＤＳＣ部と、前記電気的な信号をデジタル静止画テータに変換させるＤＳＣ信号処理ブロックと、前記デジタル静止画テータを所定の第５のフォーマットのデータで圧縮して前記第１記録媒体に保存する第５の圧縮部とをさらに含む。
【００２２】
好ましくは、前記第５のフォーマットは、ＪＰＥＧフォーマットである。
また、撮影装置は、前記ＤＶＣ部及びＤＳＣ部を備え、本体に対して回転自在に設置される複合カメラ部と、前記複合カメラ部の回転角度によって、前記ＤＶＣ部及びＤＳＣ部のうちいずれか一つを選択して対応する動作モード信号を出力するモード選択スィッチ部とをさらに含み、前記制御部は、前記動作モード信号に基づいて前記ＤＶＣ部及びＤＳＣ部の中でいずれか一つを駆動させることができる。
【００２３】
また、前記モード選択スィッチ部は、前記複合カメラ部の回転角度が第１範囲である場合には、前記ＤＳＣ部を作動させるためのＤＳＣ動作モード信号を前記制御部に出力し、前記回転角度が第２範囲である場合には、前記ＤＶＣ部を作動させるためのＤＶＣ動作モード信号を前記制御部に出力することができる。
【００２４】
また、前記モード選択スィッチ部は、前記回転角度が第３及び第４の範囲である場合は前記動作モード信号を出力しないこともできる。
【００２５】
一方、本発明による撮影方法は，（ａ）カメラレンズ部を通じて撮影した動画を電気的な信号に光電変換させた後、デジタル動画データに変換させる段階と、（ｂ）第１の記録媒体及び第２の記録媒体のうちいずれか一つを選択する段階と、（ｃ）前記（ｂ）段階で、前記第１記録媒体が選択される場合、前記デジタル動画データを所定の第１のフォーマットのデータで圧縮して前記第１記録媒体に保存する段階と、（ｄ）前記（ｂ）段階で、前記第２の記録媒体が選択される場合、前記デジタル動画データを所定の第２のフォーマットのデータで圧縮して前記第２記録媒体に保存する段階とを含むことを特徴とする。
【００２６】
好ましくは、前記第１のフォーマットは、ＭＰＥＧフォーマットであり、前記第２のフォーマットは、ＤＶフォーマットである。
【００２７】
好ましくは、前記第１の記録媒体は、内蔵形メモリー及び脱着式ＩＣメモリーカードのうちいずれか一つであり、前記第２の記録媒体は、磁気テープである。
【００２８】
また、前記（ｂ）段階は、（ｂ１）前記第１及び第２の記録媒体のうちいずれか一つを設定するためのメニュー画面を表示する段階と、（ｂ２）前記メニュー画面を参照して前記第１及び第２の記録媒体のうちいずれの一つを選択する段階とを含む。
【００２９】
また、前記（ｂ）段階で、前記第１の記録媒体が選択される場合、外部から音声信号を受信して電気的な信号に変換させ、変換された前記電気的な信号を所定の第３のフォーマットのデータで圧縮して前記第１の記録媒体に保存する段階とをさらに含む。
【００３０】
また、  前記（ｂ）段階で、前記第２の記録媒体が選択される場合、外部から音声信号を受信して電気的な信号で変換させて、変換された前記電気的な信号を所定の第４のフォーマットのデータで圧縮して前記第２の記録媒体に保存する段階とをさらに含む。
【００３１】
好ましくは、前記第３のフォーマットは、Ｇ．７２６フォーマットであり、前記第４のフォーマットは、ＰＣＭフォーマットである。
【００３２】
一方、本発明による本体及び前記本体に対して回転自在に設置され、動画を含んだ映像を撮像する第１のカメラ部と静止画を撮像する第２のカメラ部とを含む複合カメラ部を具備する複合撮影装置の撮影方法は、（ａ）前記複合カメラ部の回転角度によって、前記第１及び第２のカメラ部のうちいずれか一つを選択する段階と、（ｂ）前記（ａ）段階で、前記第１のカメラ部が選択される場合、第１及び第２の記録媒体のうちいずれか一つを選択する段階と、（ｃ）前記（ｂ）段階で、前記第１の記録媒体が選択される場合、前記第１のカメラ部で出力されたデータを所定の第１フォーマットのデータで圧縮して前記第１の記録媒体に保存する段階と、（ｄ）前記（ｂ）段階で、前記第２の記録媒体が選択される場合、前記第１のカメラ部で出力されたデータを所定の第２のフォーマットのデータで圧縮して前記第２の記録媒体に保存する段階とを含む。
【００３３】
また、前記（ａ）段階で、前記第２のカメラ部が選択される場合、前記第２のカメラ部から出力されたデータを所定の第３のフォーマットのデータで圧縮させ、前記第１の記録媒体に保存する段階をさらに含む。
【００３４】
好ましくは、前記第１のフォーマットは、ＭＰＥＧフォーマットであり、前記第２のフォーマットは、ＤＶフォーマットであり、前記第３のフォーマットは、ＪＰＥＧフォーマットである。
【００３５】
好ましくは、前記第１の記録媒体は、内蔵形メモリー及び脱着式ＩＣメモリーカードの中でいずれか一つであり、前記第２の記録媒体は、磁気テープである。
【００３６】
また、前記（ｂ）段階で、前記第１の記録媒体が選択される場合、外部から音声信号を受信して電気的な信号に変換させ、変換された前記電気的な信号を所定の第４フォーマットのデータで圧縮して前記第１の記録媒体に保存する段階をさらに含む。
【００３７】
また、前記（ｂ）段階で、前記第２の記録媒体が選択される場合、外部から音声信号の印加を受けて電気的な信号に変換させ、変換された前記電気的な信号を所定の第５のフォーマットのデータで圧縮して前記第２の記録媒体に保存する段階をさらに含む。
【００３８】
好ましくは、前記第４のフォーマットは、Ｇ．７２６フォーマットであり、前記第５のフォーマットは、ＰＣＭフォーマットである。
【発明の効果】
【００３９】
以上説明したように、本発明によると、相違の複数のカメラ及び相違の複数の記録媒体を具備する撮影装置で映像を撮像して保存することにおいて、使用者が大きい保存容量を持つ記録媒体に保存しようとする場合には圧縮率が低い圧縮方式を使って良い画質の映像で記録し、少ない保存容量を持つ記録媒体に保存しようとする場合には画質は低下するが多量のデータを記録するために圧縮率が高い圧縮方式が使用されるように自動に設定することができる。
【００４０】
また、相違のカメラが撮影した映像の種類によって適切な圧縮方式を自動に設定することができる。
【００４１】
したがって、記録媒体の保存空間を效率的に使うことができ、使用者は自分が選択したカメラ及び記録媒体によって個別に圧縮方式を設定する必要がないので、使用が便利になる。
【００４２】
本発明は、本発明の技数的思想から逸脱することなく、他の種々の形態で実施することができる。前述の実施例は、あくまでも、本発明の技数内容を明らかにするものであって、そのような具体例のみに限定して狭義に解釈されるべきものではなく、本発明の精神と特許請求の範囲内で、いろいろと変更して実施することができるものである。
【発明を実施するための最良の形態】
【００４３】
以下、添付の図面を参照して本発明の実施例を詳しく説明する。
【００４４】
図１は、本発明の実施例による撮影装置の外観斜視図であり、図２は、本発明の実施例による撮影装置のブロック図である。図１及び図２を参照すると、撮影装置は本体１００と、本体１００に連結される複合カメラ部２００と、モード選択スィッチ部３００から構成される。
【００４５】
図２を参照すると、前記複合カメラ部２００は、ＤＳＣ（デジタルスチルカメラ）部２０１及びＤＶＣ（デジタルビデオカメラ）部２０２から構成される。前記ＤＳＣ部２０１及びＤＶＣ部２０２は、撮像する映像の種類が相違であるので各々独立的に駆動される。前記ＤＳＣ部２０１は、ＤＳＣレンズ部２１１と、ＤＳＣＣＣＤ２２１と、ＤＳＣレンズ駆動部２３１から構成され、前記ＤＶＣ部２０２は、ＤＶＣレンズ部２１２と、ＤＶＣＣＣＤ２２２と、及びＤＶＣレンズ駆動部２３２から構成される。
【００４６】
図２を参照すると、  前記ＤＳＣレンズ駆動部２３１は、ＤＳＣ制御部１４２の制御によって前記ＤＳＣレンズ部２１１を駆動させる。ＤＳＣレンズ部２１１を通じて結像された光学像はＤＳＣＣＣＤ２２１で電気的な信号に光電変換され、変換された前記信号は、ＤＳＣ信号処理ブロック１１１に伝送される。ＤＳＣＣＣＤ２２１は、プログレッシブスキャン方式を使用する。
【００４７】
前記ＤＶＣレンズ駆動部２３２は、主制御部１４１の制御によってＤＶＣレンズ部２１２を駆動させる。ＤＶＣレンズ部２１２を通じて結像された光学像は、ＤＶＣＣＣＤ２２２で電気的な信号に光電変換され、変換された前記信号は、ＤＶＣ信号処理ブロック１１２で伝送される。前記ＤＶＣＣＣＤ２２２は、インターレーススキャン方式を使用する。
【００４８】
図３Ａないし図３Ｅは、複合カメラ部を説明するための図である。前記複合カメラ部２００は使用者の操作により本体１００の側面でＺ軸を中心として少なくとも１８０度以上回転可能に設置される。前記本体１００に対する複合カメラ部２００の回転角度によって前記複合カメラ部２００に具備されたＤＳＣ部２０１及びＤＶＣ部２０２のうちいずれの一つが撮像を行い、具体的には、Ｘ軸の左側を基準として上下４５度角度の範囲内（Ｒ）に位置するカメラ部が撮像を実行するようになる。
【００４９】
図３Ａないし図３Ｅには、使用者が複合カメラ部２００を時計方向へ４５度ずつ回転させる間に現われる複合カメラ部２００の位置を各々図示した。
【００５０】
図３Ａを参照すると、複合カメラ部２００に内蔵されているＤＳＣレンズ部２１１、ＤＳＣＣＣＤ２２１、ＤＶＣレンズ部２１２及びＤＶＣＣＣＤ２２２を点線で図示し、説明の便宜上ＤＳＣレンズ駆動部２３１及びＤＶＣレンズ駆動部２３２は省略した。
【００５１】
図３Ａ及び図３Ｂでは、ＤＳＣレンズ部２１１及びＤＳＣＣＣＤ２２１がＸ軸の左側を基準として上下４５度角度の範囲内に位置したので、ＤＳＣ部２０１が撮像を実行するＤＳＣ動作モードで作動するようになる。
【００５２】
図３Ｃを参照すると、Ｘ軸の左側を基準として上下４５度角度の範囲内（Ｒ）に位置するカメラ部が存在しない。したがって、この場合にはどのカメラも撮像を実行しないようになる。
【００５３】
図３Ｄ及び図３Ｅを参照すると、ＤＶＣレンズ部２１２及びＤＶＣＣＣＤ２２２は、Ｘ軸の左側を基準として上下４５度角度の範囲（Ｒ）に位置するようになる。したがって、Ｘ軸の左側を基準として上下４５度角度の範囲内（Ｒ）に位置したＤＶＣ部２０２が撮像を行う。
【００５４】
図１及び図２を参照すると、本体１００は、撮影装置のメインボディとして、複合カメラ部２００及びモード選択スィッチ部３００に具備される装置を除外した残りの装置を内蔵及び具備できる。
【００５５】
前記ＤＳＣ信号処理ブロック１１１は、ＤＳＣＣＣＤ２２１から受信した信号をフレーム単位で処理してデジタル静止画データを出力し、ＤＳＣ制御部１４２の制御により色、色の彩度、明度、撮影時のシャッターの速度などを変更することができる。
【００５６】
前記ＪＰＥＧ圧縮部１８１は、ＤＳＣ信号処理ブロック１１１から受信したデジタル静止画データをＪＰＥＧフォーマットのデータで圧縮する。ＪＰＥＧフォーマットのデータは脱着式ＩＣメモリーカード１２１に保存される。
【００５７】
前記ＤＶＣ信号処理ブロック１１２は、ＤＶＣＣＣＤ２２２から受信した信号をフィールド単位で処理してデジタル動画データを出力し、主制御部１４１の制御により色、色の彩度、明度、撮影時のシャッターの速度などを変更することができる。
【００５８】
前記ＭＰＥＧ圧縮部１８２は、ＤＶＣ信号処理ブロック１１２から受信したデジタル動画データをＭＰＥＧフォーマットのデータで圧縮する。ＭＰＥＧフォーマットのデータは低画質であるが圧縮率が高くて保存容量が少ない記録媒体に保存するのに適切なフォーマットである。したがって、ＭＰＥＧフォーマットのデータは、磁気データ１２２に比べて相対的に保存容量が少ない脱着式ＩＣメモリーカード１２１に保存される。
【００５９】
一方、前記ＤＶ圧縮部１８３は、ＤＶＣ信号処理ブロック１１２から受信したデジタル動画データをＤＶフォーマットのデータで圧縮する。ＤＶフォーマットの圧縮方式はフレーム内の情報だけでデータを圧縮し、ヘリカルスキャン方式でテープに記録されたデジタル映像データをサーチすることができる。
【００６０】
ＤＶフォーマットのデータは、画質は良いが圧縮率が低くて保存容量が大きい記録媒体に保存することに適切なフォーマットである。したがって、ＤＶフォーマットのデータは、脱着式ＩＣメモリーカード１２１に比べて相対的に保存容量が大きい磁気テープ１２２に保存される。
【００６１】
図１を参照すると、本体１００の一端部、即ち、撮影方向（Ｘ）へ露出される本体１００の後端部には再生される音響を出力するスピーカー１３と、外部の音響を取得するためのマイク１３２が各々具備される。
【００６２】
図２を参照すると、前記マイク１３２は、外部から入力された音声信号を電気的な信号に変換させる。Ｇ．７２６圧縮部１８４は、マイク１３２から受信した信号をＧ．７２６フォーマットのデータで圧縮し、Ｇ．７２６フォーマットのデータは、ＭＰＥＧ圧縮部１８２から出力されたＭＰＥＧフォーマットのデータと共に脱着式ＩＣメモリーカード１２１に保存される。
【００６３】
一方、ＰＣＭ圧縮部１８５は、マイク１３２から受信した信号をＰＣＭフォーマットのデータで圧縮し、ＰＣＭフォーマットのデータは、ＤＶ圧縮部１８３から出力されたＤＶフォーマットのデータと共にＶＣＲデッキ１２４を通じて磁気テープ１２２に保存される。
【００６４】
撮影装置に具備される記録媒体には、脱着式ＩＣメモリーカード１２１と磁気テープ１２２がある。脱着式ＩＣメモリーカード１２１は、ＰＣと直接に接続してデータを簡便に伝送することができ、相対的に保存容量が少ない低容量のデータだけが記録される。
【００６５】
前記脱着式ＩＣメモリーカードは、カード形態で形成された記録媒体の一種で、ケースに一つまたは複数の半導体メモリーを格納し端部にインターフェース接続機を具備している。これは記憶容量を拡張するために使われる。前記脱着式ＩＣメモリーカードは、格納されたメモリーの種類によって区分される。ＲＡＭカード、フラッシュメモリーカード、非揮発性半導体メモリーカード等がある。
【００６６】
図４には、脱着式ＩＣメモリーカードが本体に結合される方法が図示されている。一方、磁気テープ１２２はＶＣＲデッキ駆動部１２３により駆動されるＶＣＲデッキ１２４に挿入されて使われ、前記脱着式ＩＣメモリーカード１２１に比べて保存容量が大きい。
【００６７】
表示文字発生部１５５は、主制御部１４１から制御信号を受け表示部１５０の特定位置に特定文字を発生させる機能をする。
【００６８】
１３９４インターフェース部１９１は、他の外部のデバイスとデータを取り交わすために使用され、主にＰＣとインターフェースするために使われる。即ち、撮影されたデジタル映像データは、１３９４インターフェース部１９１を通じてＰＣに伝送することができ、反対にＰＣからデジタル映像データを受信して磁気テープ１２２に記録することができる。
【００６９】
図１を参照すると、表示部１５０は本体１００に具備され撮影される映像を表示するビューファインダー１５１と、本体１００に形成されたＬＣＤパネル１５２とを有する  。
【００７０】
ＤＳＣで撮影した静止画は、脱着式ＩＣメモリーカード１２１に保存され、ＤＶＣで撮影した動画は脱着式ＩＣメモリーカード１２１または磁気テープ１２２に選択的に保存される。その保存経路は使用者が自由に設定することができる。
【００７１】
使用者はキー入力部１３０に形成された記録媒体選択スイッチ１３１を使用して撮像された動画が保存される記録媒体を選択することができる。すなわち、記録媒体選択スイッチ１３１は使用者の選択によって、主制御部１４１へメモリー記録モード信号またはテープ記録モード信号を出力する。
【００７２】
一方、使用者は記録媒体設定部（図示せず）で記録媒体を選択する。記録媒体設定部はキー入力部１３０、表示文字発生部１５５及び表示部１５０を含んで構成できる。前記キー入力部１３０には、メニュー画面を表示部に表示するようにする命令を入力するためのメニュー表示キーと、メニュー画面に選択可能に配列された項目に対してカーソルを移動させるための方向キーと、カーソルが位置した項目を選択するための選択キーとが具備される。
【００７３】
前記キー入力部１３０は、使用者がメニュー表示キーを押すとメニュー表示信号を、方向キーを押すとカーソル移動信号を、選択キーを押すと項目選択信号を主制御部１４１に伝送する。
【００７４】
前記主制御部１４１は、メニュー表示信号を受信すると、表示文字発生部１５５が表示部１５０にメニュー画面を表示するように制御し、カーソル移動信号を受信すると、表示文字発生部１５５が表示部１５０に位置が移動されたカーソルをを表示するように制御する。
【００７５】
一方、前記主制御部１４１は、項目選択信号を受信すると、表示文字発生部１５５が表示部１５０に前記項目の従属メニューを表示するように制御し、従属メニューが存在しない場合にはメニュー項目に対応する動作を行うようになる。
【００７６】
図５Ａないし図５Ｂは、メニュー画面を利用して記録媒体を設定する過程を説明するための図である。
【００７７】
図５Ａに図示されるように，撮影装置がＤＶＣ動作モードで作動している場合に、使用者がメニュー表示キーを押すと、表示部にはＤＶＣのメニュー画面が表示され、カーソルを‘１．記録媒体’に置いて選択キーを押すと、‘１．記録媒体’の従属メニューである‘（１）メモリー’及び‘（２）磁気テープ’が表示される。
【００７８】
図５Ｂに図示されるように、以後に使用者が方向キーを利用してカーソルを‘（２）磁気テープ’に位置させて選択キーを押すと、主制御部１４１は撮影された動画が磁気テープ１２２に保存されるように保存経路を設定するようになる。
【００７９】
前記制御部１４０は、主制御部１４１及びＤＳＣ制御部１４２から構成される。前記主制御部１４１は、モード選択スイッチ部３００から受信した動作モード信号に基づいて現在の動作モードがＤＳＣ動作モード及びＤＶＣ動作モードのうちどの動作モードであるかを判断する。
【００８０】
判断の結果、ＤＳＣ動作モードであると判断されると、主制御部１４１は、ＤＳＣ制御部１４２を制御し、ＤＳＣ制御部１４２はＤＳＣレンズ駆動部２３１及びＤＳＣ信号処理ブロック１１１を制御するようにする。
【００８１】
したがって、ＤＳＣレンズ部２１１を通じて結像された光学像がＤＳＣＣＣＤ２２１で電気的な信号に光電変換され、変換された前記信号はＤＳＣ信号処理ブロック１１１でデジタル静止画データに変換され、ＪＰＥＧ圧縮部１８１でＪＰＥＧフォーマットのデータで圧縮される。
【００８２】
前記主制御部１４１は、保存データ選択スイッチ１７３を調整してＪＰＥＧ圧縮部１８１から出力されたＪＰＥＧフォーマットのデータが脱着式ＩＣメモリーカード１２１に保存されるようにする。
【００８３】
一方、ＤＶＣ動作モードであると判断されると、前記主制御部１４１は、前記ＤＶＣレンズ駆動部２３２及びＤＶＣ信号処理ブロック１１２を制御し、ＤＶＣレンズ部２１２を通じて結像された光学像はＤＶＣＣＣＤ２２２で電気的な信号に光電変換され、変換された前記信号がＤＶＣ信号処理ブロック１１２でデジタル動画データに変換されるようにする。
【００８４】
前記主制御部１４１は、記録媒体スイッチ１３１又は記録媒体設定部（図示せず）から受信した記録モード信号に基づいて現在の記録モードがメモリー記録モード及びテープ記録モードのうちどの記録モードであるかを判断する。
【００８５】
判断の結果、メモリー記録モードであると判断されると、前記主制御部１４１は、動画圧縮フォーマット選択スイッチ１７１及び音声圧縮フォーマット選択スイッチ１７２を調整して、ＤＶＣ信号処理ブロック１１２から出力されたデジタル動画データをＭＰＥＧ圧縮部１８２でＭＰＥＧフォーマットのデータで圧縮させ、マイク１３２から出力された音声信号をＧ．７２６圧縮部１８４でＧ．７２６フォーマットのデータで圧縮させるようになる。
【００８６】
主制御部１４１は、保存データ選択スイッチ１２０を調整してＭＰＥＧフォーマットのデータ及びＧ．７２６フォーマットのデータを脱着式ＩＣメモリーカード１２１に保存させる。
【００８７】
また、テープ記録モードであると判断されると、主制御部１４１は、動画圧縮フォーマット選択スイッチ１７１及び音声圧縮フォーマット選択スイッチ１７２を調整して、ＤＶＣ信号処理ブロック１１２から出力されたデジタル動画データをＤＶ圧縮部１８３でＤＶフォーマットのデータで圧縮させ、マイク１３２から出力された音声信号をＰＣＭ圧縮部１８５でＰＣＭフォーマットのデータで圧縮させる。ＤＶフォーマットのデータ及びＰＣＭフォーマットのデータはＶＣＲデッキ１２４を通じて磁気テープ１２２に保存される。
【００８８】
前記モード選択スイッチ部３００は、前記複合カメラ部２００と連動して動作するように設置され、複合カメラ部２００の回転角度によって対応する動作モード信号を主制御部１４１へ出力し、前記主制御部１４１は、動作モード信号を受信して現在の動作モードを判断する。
【００８９】
図３Ａに図示されるように、ＤＳＣレンズ部２１１及びＤＳＣＣＣＤ２２１がＸの左側を基準として上下４５度角度の範囲内に位置した場合には、前記モード選択スイッチ部３００がＤＳＣ動作モード信号を主制御部１４１へ出力し、制御部１４０はＤＳＣ部２０１を作動させてＤＶＣ部２０２をオフさせる。
【００９０】
一方、図３Ｅに図示されるように、ＤＶＣレンズ部２１２及びＤＶＣＣＣＤ２２２がＸの左側を基準として上下４５度角度の範囲内に位置した場合には、前記モード選択スイッチ部３００がＤＶＣ動作モード信号を主制御部１４１へ出力し、制御部１４０はＤＶＣ部２０２を作動させてＤＳＣ部２０１をオフさせる。
【００９１】
図６ないし図１０は、モード選択スイッチ部を説明するための図である。図６は、図２のモード選択スイッチ部３００の一例である切換スイッチを説明するための斜視図である。
【００９２】
図６を参照すると、切換スイッチは、本体１００に形成された第１及び第２の接続パターン１６１、１６２と、前記接続パターン１６１、１６２のうちいずれか一つと接続するように複合カメラ部２００に具備された接続端子２３０とを含んで構成できる。前記構成において、本体１００と複合カメラ部２００は各々ホールｈ１、ｈ２を対向して相対的に回転自在に結合される。したがって、接続端子２３０は、本体１００に対する複合カメラ部２００の回転角度によって第１の接続パターン１６１又は第２の接続パターン１６２に接触される。ここで、第１接続パターン１６１は、主制御部１４１の第１ポートに連結され、第２の接続パターン１６２は主制御部１４１の第２のポートに連結される。
【００９３】
図７は、図６に図示された切換スイッチによりＤＳＣ部２０１が選択された状態を示す図である。この場合、図７に図示されるように、接続端子２３０が第１の接続パターン１６１に接触されると、即ち、複合カメラ部２００の回転角度が第１の範囲（接続端子２３０がＸ軸の左側を基準として上下９０度の範囲内）である場合は、ＤＳＣ部２０１を作動させるためのＤＳＣ動作モード信号である２進信号‘１’が主制御部１４１の第１ポートへ出力され、主制御部１４１の第２ポートへ２進信号‘０’が出力される。したがって、ＤＳＣ部２０１により撮像が行われるＤＳＣ動作モードが選択され、制御部１４０はＤＳＣ部２０１を作動させてＤＶＣ部２０２をオフさせる。
【００９４】
また、接続端子２３０が第２の接続パターン１６２に接触されると、即ち、複合カメラ部２００の回転角度が第２の範囲（接続端子２３０がＸ軸の右側を基準として上下９０度の範囲内）である場合は、ＤＶＣ部２０２を作動させるためのＤＶＣ動作モード信号である２進信号‘１’が主制御部１４１の第２ポートへ出力され、主制御部１４１の第１ポートへ２進信号‘０’が出力される。
【００９５】
図８は、図２のモード選択スイッチ部３００の一例で、切換スイッチを説明するための斜視図である。図８に図示された切換スイッチは、本体１００に形成された第１及び第２の接続パターン１６１、１６２の以外に、第３及び第４の接続パターン１６３、１６４をさらに具備し、前記接続パターン１６１〜１６４のうちいずれか一つと接続するように複合カメラ部２００に具備された接続端子２３０を含んで構成できる。したがって、接続端子２３０は、本体１００に対する複合カメラ部２００の回転角度によって第１ないし第４の接続パターン１６１〜１６４のうちいずれか一つに接触される。ここで、第１の接続パターン１６１は主制御部１４１の第１のポートに連結され、第２の接続パターン１６２は主制御部１４１の第２のポートに連結され、第３及び第４の接続パターン１６３、１６４は主制御部１４１のポートと連結されていない。
【００９６】
図９は、図８に図示された切換スイッチによりいずれのカメラ部も選択されなかった状態を示す図である。この場合、図９に図示されるように、接続端子２３０が第３接続パターン１６３に接触されると、即ち、複合カメラ部２００の回転角度が第３の範囲（接続端子２３０がＹ軸の上側を基準で左右４５度の範囲内）である場合は、主制御部１４１のポートへ動作モード信号が出力されない。これは、接続端子２３０が第４接続パターン１６４に接触された場合も同様である。したがって、動作モード信号を受信しなかった場合、制御部１４０は作動中であるカメラ部をオフするようになることにより、ＤＳＣ部２０１及びＤＶＣ部２０２は全て動作しないようになる。
【００９７】
この時、第１ないし第４接続パターン１６１〜１６４が９０度角度の間隔で形成されたと仮定すると、接続端子２３０がＸ軸の左側を基準として上下４５度の角度上に位置するとＤＳＣ部２０１が、Ｘ軸の右側を基準として上下４５度の角度上に位置するとＤＶＣ部２０２が作動し、Ｙ軸の上側を基準として左右４５度の角度上に位置するかＹ軸の下側を基準として左右４５度の角度上に位置すると、どのカメラ部も作動しない。このように、Ｙ軸を基準として左右４５度の角度上で全てのカメラ部がオフされるようにした理由は、使用者がズーム機能を設定してＤＳＣ及びＤＶＣレンズ部２１１、２１２が複合カメラ部２００の外部へ突出された状態で複合カメラ部２００を回転させる時、前記レンズ部２２１、２２２が本体１００と衝突することを防止するためである。
【００９８】
図１０は、図２のモード選択スイッチ部３００の他の例を説明するための図である。
【００９９】
図１０を参照すると、複合カメラ部２００が本体１００と接触する面にモードスイッチ部３１０が形成されており、モードスイッチ部３１０にはＤＳＣモードスイッチ３１１及びＤＶＣモードスイッチ３１２が形成される。ＤＳＣモードスイッチ３１１は主制御部１４１の第１ポートに連結され、ＤＶＣモードスイッチ３１２は主制御部１４１の第２ポートに連結される。複合カメラ部２００が本体に対して回転すると、複合カメラ部２００に形成されたモードスイッチ部３１０、ＤＳＣモードスイッチ３１１及びＤＶＣモードスイッチ３１２も共に回転する。
【０１００】
ＤＳＣモードスイッチ３１１はｄ１及びｄ２範囲で回転が可能である。ＤＳＣモードスイッチ３１１がｄ１範囲（Ｙ軸の下側を基準として左右４５度）に位置すると、ＤＳＣ部２０１を作動させるためのＤＳＣ動作モード信号である２進信号‘１’が主制御部１４１の第１ポートへ出力され、主制御部１４１の第２ポートへ２進信号‘０’が出力される。
【０１０１】
一方、ＤＶＣモードスイッチ３１２はｄ３及びｄ４範囲で回転が可能である。ＤＶＣモードスイッチ３１２がｄ３範囲（Ｙ軸の下側を基準で左側９０度）に位置すると、ＤＶＣ部２０２を作動させるためのＤＶＣ動作モード信号である２進信号‘１’が主制御部１４１の第２ポートへ出力され、主制御部１４１の第１ポートへ２進信号‘０’が出力される。
【０１０２】
図１１は、本発明による撮影方法を説明するためのフローチャートである。図１１を参照すると、主制御部１４１はモード選択スイッチ部３００から受信した動作モード信号に基づいて動作モードを判断する（Ｓ５００）。
【０１０３】
Ｓ５００段階で、ＤＳＣ動作モードであると判断されると、ＤＳＣＣＣＤ２２１はＤＳＣレンズ部２１１を通じて結像した光学像を電気的な信号で光電変換させＤＳＣ信号処理ブロック１１１へ伝送する（Ｓ５１１）。ＤＳＣ信号処理ブロック１１１は前記信号をデジタル静止画データに変換する（Ｓ５１３）。
【０１０４】
ＪＰＥＧ圧縮部１８１は、デジタル静止画データをＪＰＥＧフォーマットのデータで圧縮する（Ｓ５１５）。ＪＰＥＧフォーマットのデータは脱着式ＩＣメモリーカード１２１に保存される（Ｓ５１７）。
【０１０５】
一方、Ｓ５００段階で、ＤＶＣ動作モードであると判断されると、ＤＶＣＣＣＤ２２２はＤＶＣレンズ部２１２を通じて結像した光学像を電気的な信号で光電変換させＤＶＣ信号処理ブロック１１２へ伝送し（Ｓ５２１）、ＤＶＣ信号処理ブロック１１２は前記信号をデジタル動画データに変換する（Ｓ５２３）。
【０１０６】
主制御部１４１は、記録媒体選択スイッチ１３１又は記録媒体設定部から受信した記録モード信号に基づいて記録モードを判断する（Ｓ５３０）。
【０１０７】
Ｓ５３０段階で、メモリー記録モードであると判断されると、ＤＶＣ信号処理ブロック１１２から出力されたデジタル動画データはＭＰＥＧ圧縮部１８２でＭＰＥＧフォーマットのデータで圧縮され、音声データはＧ．７２６圧縮部１８４でＧ．７２６フォーマットのデータで圧縮される（Ｓ５４１）。そして、ＭＰＥＧフォーマットのデータ及びＧ．７２６フォーマットのデータは脱着式ＩＣメモリーカード１２１に保存される（Ｓ５４３）。
【０１０８】
また、Ｓ５３０段階で、テープ記録モードであると判断されると、ＤＶＣ信号処理ブロック１１２から出力されたデジタル動画データはＤＶ圧縮部１８３でＤＶフォーマットのデータで圧縮され、音声データはＰＣＭ圧縮部１８５でＰＣＭフォーマットのデータで圧縮される（Ｓ５５１）。そして、ＤＶフォーマットのデータ及びＰＣＭフォーマットのデータはＶＣＲデッキ１２４を通じて磁気テープに保存される（Ｓ５５３）。
【産業上の利用可能性】
【０１０９】
本発明は、撮影装置及びその方法に関し、より詳しくは、互いに違う複数のカメラ及び互いに違う複数の記録媒体を備える撮影装置で映像を撮像して保存することにおいて、使用者が選択したカメラと記録媒体の種類によって映像データの圧縮方式を自動に設定する撮影装置及びその方法に関する。
【図面の簡単な説明】
【０１１０】
【図１】本発明の実施例による撮影装置の外観斜視図である。
【図２】本発明の実施例による撮影装置のブロック図である。
【図３Ａ】複合カメラ部を説明するための図である。
【図３Ｂ】複合カメラ部を説明するための図である。
【図３Ｃ】複合カメラ部を説明するための図である。
【図３Ｄ】複合カメラ部を説明するための図である。
【図３Ｅ】複合カメラ部を説明するための図である。
【図４】記録媒体を説明するための図である。
【図５Ａ】記録媒体設定部を説明するための図である。
【図５Ｂ】記録媒体設定部を説明するための図である。
【図６】図２のモード選択スイッチ部の一例である切換スイッチを説明するための斜視図である。
【図７】図６に図示された切換スイッチによりＤＳＣ部が選択された状態を示す図である。
【図８】２のモード選択スイッチ部の一例で、切換スイッチを説明するための斜視図である。
【図９】図８に図示された切換スイッチによりどのカメラ部も選択されなかった状態を示す図である。
【図１０】図２のモード選択スイッチ部３００の他の例を説明するための図である。
【図１１】本発明による撮影方法を説明するためのフローチャートである。
【符号の説明】
【０１１１】
１００    本体
１２１    脱着式ＩＣメモリーカード
１３１    記録媒体選択スイッチ      
２００    複合カメラ部  
２０１    ＤＳＣ部
２０２    ＤＶＣ部      
２１１    ＤＳＣレンズ部
２２１    ＤＳＣＣＣＤ
１８１    ＪＥＰＧ圧縮部
１８２    ＭＰＥＧ圧縮部
１８３    ＤＶ圧縮部
１８４    Ｇ．７２６圧縮部
１８５    ＰＣＭ圧縮部
３００    モード選択スイッチ部
【図１】
2004364259.tif 000003
【図２】
2004364259.tif 000004
【図３Ａ】
2004364259.tif 000005
【図３Ｂ】
2004364259.tif 000006
【図３Ｃ】
2004364259.tif 000007
【図３Ｄ】
2004364259.tif 000008
【図３Ｅ】
2004364259.tif 000009
【図４】
2004364259.tif 000010
【図５Ａ】
2004364259.tif 000011
【図５Ｂ】
2004364259.tif 000012
【図６】
2004364259.tif 000013
【図７】
2004364259.tif 000014
【図８】
2004364259.tif 000015
【図９】
2004364259.tif 000016
【図１０】
2004364259.tif 000017
【図１１】
2004364259.tif 000018